(57)【要約】【課題】簡単な容器構成で、かつ、薬剤の混合に際して、容器を構成する部材の破断片が発生する虞のない薬剤収容容器を提供する。【解決手段】第一収容部材１０を封止し、その周側面部が第一収容部材１０の内面に沿って摺動自在であり、この摺動により封止部材５０の姿勢を規定可能な蓋部材３０と、第一収容部材１０に係合装着されると共に蓋部材３０を押圧可能であり、さらに、封止部材５０が開封姿勢となった時に第一収容部材１０より離脱可能なキャップ部材４０とを設けてある薬剤収容容器Ｘ。【選択図】　図１
2004024711.tif 000002
【特許請求の範囲】
【請求項１】
第一薬剤を収容する第一収容部材と、第二薬剤を収容すると共に前記第一収容部材と連通路を介して連通する第二収容部材と、前記連通路を封止する封止部材とを設けてあり、前記封止部材は、前記封止部材により前記連通路を封止した状態の封止姿勢、或いは、前記封止部材により前記連通路の封止が解除された状態の開封姿勢を有する薬剤収容容器であって、
前記第一収容部材を封止し、その周側面部が前記第一収容部材の内面に沿って摺動自在であり、この摺動により前記封止部材の姿勢を規定可能な蓋部材と、
前記第一収容部材に係合装着されると共に前記蓋部材を押圧可能であり、さらに、前記封止部材が前記開封姿勢となった時に前記第一収容部材より離脱可能なキャップ部材とを設けてある薬剤収容容器。
【請求項２】
前記蓋部材の外表面に、前記キャップ部材の回動に伴って前記蓋部材が回動するように、前記キャップ部材と係合する係合部が設けてある請求項１に記載の薬剤収容容器。
【請求項３】
前記封止部材が弾性材で凹形状に形成される凹部を備えると共に、前記連通路の内壁が凸形状に形成される凸部を備え、前記凹部と前記凸部とが嵌合装着する請求項１又は２に記載の薬剤収容容器。
【請求項４】
前記第一収容部材の底面が前記第一薬剤を前記連通路に導くテーパ面であり、前記封止部材に設けた第一当接部材が、前記テーパ面に当接可能に設けてある請求項１〜３の何れか一項に記載の薬剤収容容器。
【請求項５】
前記封止部材において、前記連通路内壁に当接する第二当接部材を、前記封止部材の周方向に設けてある請求項１〜４の何れか一項に記載の薬剤収容容器。
【発明の詳細な説明】
【０００１】
【発明の属する技術分野】
本発明は、第一薬剤を収容した第一収容部材と、第二薬剤を収容すると共に前記第一収容部材と連通路を介して連通する第二収容部材と、前記連通路を封止する封止部材とを設けてあり、前記封止部材は、前記封止部材により前記連通路を封止した状態の封止姿勢、或いは、前記封止部材により前記連通路の封止が解除された状態の開封姿勢を有する薬剤収容容器に関する。
【０００２】
【従来の技術】
従来、複数（例えば２種類）の薬剤を収容する容器においては、未使用時には２種類の薬剤を別々の収容部に隔離した状態で収容され、使用の際に、２種類の薬剤を収容した収容部を無菌的に連通させて２種類の薬剤を混合した後、使用に供することが可能な薬剤収容容器が知られている。
【０００３】
このような薬剤収容容器として、例えば特許第３２８１３８８号には、以下の構成を有する容器が開示されている。
【０００４】
つまり、図５に示したように、薬剤収納室１０と、この薬剤収納室１０の口部を密封するキャップ部材４０と、薬剤収納室１０の底部に連設される溶解液室２０とを備え、薬剤収納室１０は、その底部に溶解液室２０との連通孔６０が設けられ、さらにこの連通孔６０を薬剤収納室１０の底部に剥離可能に接着されて密封し、かつ薬剤収納室１０内に突出する突出片７０を有し、キャップ部材４０は、前記突出片７０の先端部に係合される係合部を有し、キャップ部材４０の回転操作により前記突出片７０が前記キャップ部材４０の回転軸と直交する平面上で移動し、前記薬剤収納室１０の底部から剥離して連通孔６０を開放するよう構成したことを特徴とする構成について記載されている。
【０００５】
この輸液用容器によれば、製造工程が簡略化され、廃棄処理が容易であり、更に薬剤と溶解液の混合を容易に行い得るとともに、点滴具の装着をより無菌的に安全かつ容易にする輸液装置を提供することができるとされていた。
【０００６】
【発明が解決しようとする課題】
上述した従来の輸液用容器によれば、薬剤収納室と溶解液室とを隔離する前記突出片を薬剤収納室の底部に設ける必要があるため、容器の構成が複雑になるという問題点があった。
【０００７】
また、前記輸液用容器は、キャップ部材を薬剤収納室を密閉した状態で回転させると、キャップ部材と係合する突出片が捩じられる。このとき、突出片がその付根と共に薬剤収納室の底部から捩じり取られることにより連通孔が形成され、薬剤収納室と溶解液室が連通するのであるが、突出片が薬剤収納室の底部から捩じり取られることにより、微細な破断片が発生する虞があった。
【０００８】
従って、本発明の目的は、簡単な容器構成で、かつ、薬剤の混合に際して、容器を構成する部材の破断片が発生する虞のない薬剤収容容器を提供することにある。
【０００９】
【課題を解決するための手段】
〔構成１〕
この目的を達成するための本発明の特徴構成は、
第一薬剤を収容する第一収容部材と、第二薬剤を収容すると共に前記第一収容部材と連通路を介して連通する第二収容部材と、前記連通路を封止する封止部材とを設けてあり、前記封止部材は、前記封止部材により前記連通路を封止した状態の封止姿勢、或いは、前記封止部材により前記連通路の封止が解除された状態の開封姿勢を有する薬剤収容容器であって、
前記第一収容部材を封止し、その周側面部が前記第一収容部材の内面に沿って摺動自在であり、この摺動により前記封止部材の姿勢を規定可能な蓋部材と、
前記第一収容部材に係合装着されると共に前記蓋部材を押圧可能であり、さらに、前記封止部材が前記開封姿勢となった時に前記第一収容部材より離脱可能なキャップ部材とを設けてある点にあり、その作用効果は以下の通りである。
【００１０】
〔作用効果１〕
つまり、前記第一収容部材を封止し、その周側面部が前記第一収容部材の内面に沿って摺動自在であり、この摺動により前記封止部材の姿勢を規定可能な蓋部材を設けることにより、第一収容部材を封止する蓋部材そのものを前記第一収容部材の内面に沿って摺動移動させる（つまり、第一収容部材が減容化する）だけで、前記封止部材の封止姿勢を開封姿勢へと姿勢変動させて前記第一薬剤と前記第二薬剤とを混合可能な構成となる。
【００１１】
そのため、例えば、従来のように、第一薬剤を収容した第一収容部材と第二薬剤を収容した第二収容部材とを隔離する突出片のような構成を設ける必要が無いため簡略な構造とすることができ、さらに、部材の数においても、前記第一収容部材、前記第二収容部材、前記蓋部材、前記キャップ部材、前記封止部材だけで構成可能であるため、少ない部品数で済む構造とすることができる。従って、製造コストを低減することが可能となる。
【００１２】
また、前記封止部材の封止姿勢を開封姿勢へと姿勢変動させて前記第一薬剤と前記第二薬剤とを混合させるのに際して、前記薬剤収容容器を構成する部材の破断がないため、微細な材料粒子の破断片の発生が起きない。
【００１３】
また、前記封止部材の封止姿勢を開封姿勢へと姿勢変動させると、前記連通路のほぼ全体が薬剤移動に使用されるため、迅速な薬剤移動に必要な流量が確保できる。
【００１４】
さらに、前記第一収容部材に係合装着されると共に前記蓋部材を押圧可能であり、さらに、前記封止部材が前記開封姿勢となった時に前記第一収容部材より離脱可能なキャップ部材とを設けることにより、前記蓋部材を押圧して前記封止部材が開封姿勢となると、前記第一薬剤と前記第二薬剤との混合が行われる。そして、この状態の後に前記キャップ部材が前記第一収容部材より離脱可能となるため、前記第一薬剤と前記第二薬剤との混合前に前記キャップ部材が前記第一収容部材より離脱することはない。従って、前記キャップ部材の離脱なしには、前記第一薬剤と前記第二薬剤との混合薬剤を使用者に供することはできない構成となる。これより、前記第一薬剤と前記第二薬剤とを混合しないで患者に供してしまうような医療過誤を防止することができる。
【００１５】
〔構成２〕
この目的を達成するための本発明の特徴構成は、上記構成１において、
前記蓋部材の外表面に、前記キャップ部材の回動に伴って前記蓋部材が回動するように、前記キャップ部材と係合する係合部が設けてある点にあり、その作用効果は以下の通りである。
【００１６】
〔作用効果２〕
つまり、前記蓋部材の外表面に、前記キャップ部材の回動に伴って前記蓋部材が回動するように、前記キャップ部材と係合する係合部が設けてあると、各係合部に前記キャップ部材が係止した状態になる。この状態からさらにキャップ部材を回動させると、前記蓋部材は回動しながら押込まれる。
そのため、例えば、前記蓋部材の側面と前記第一収容部材の内壁面との摩擦力が異なる場合は、前記蓋部材を真っ直ぐ押し下げるのみであると、前記蓋部材の押し下げ量に差が出て前記蓋部材と前記第一収容部材との間に隙間が発生する虞があるが、上述したような係止状態で前記蓋部材が回動しながら押込まれることにより、前記蓋部材の全周に亘って均等な押込み量が得られるため、前記蓋部材と前記第一収容部材との間に隙間が発生して薬剤が漏洩するような不都合が起こるのを防止することができる。
【００１７】
〔構成３〕
この目的を達成するための本発明の特徴構成は、上記構成１又は２において、
前記封止部材が弾性材で凹形状に形成される凹部を有すると共に、前記連通路の内壁が凸形状に形成される凸部を有し、前記凹部と前記凸部とが嵌合装着する点にあり、その作用効果は以下の通りである。
【００１８】
〔作用効果３〕
つまり、　前記封止部材が弾性材で凹形状に形成される凹部を有すると共に、前記連通路の内壁が凸形状に形成される凸部を有し、前記凹部と前記凸部とが嵌合装着すると、前記凹部の弾性材の弾性により前記凸部を挟むように保持できるため、前記封止部材による封止の程度が向上する。
そして、封止姿勢が、前記凹部と前記凸部との嵌合により維持されているため、前記封止部材が下方に押込まれると直ちに封止姿勢を解除できる構成となるため、前記封止部材を押込むストロークが小さくなり、押込み力の総量は軽減する。
【００１９】
〔構成４〕
この目的を達成するための本発明の特徴構成は、上記構成１〜３の何れか一項に記載の構成において、
前記第一収容部材の底面が前記第一薬剤を前記連通路に導くテーパ面であり、前記封止部材に設けた第一当接部材が、前記テーパ面に当接可能に設けてある点にあり、その作用効果は以下の通りである。
【００２０】
〔作用効果４〕
つまり、前記第一収容部材の底面が前記第一薬剤を前記連通路に導くテーパ面であれば、前記連通路が開封状態となった時には、迅速かつ第一薬剤を残すこと無く、前記第二収容部材に移送可能となる。
【００２１】
さらに、前記封止部材に設けた第一当接部材が、前記テーパ面に当接可能に設けてあれば、前記封止部材と前記テーパ面とが当接した後に、横方向に揺れ動くことを防止できるため、使用に際しての違和感が無くなる。
【００２２】
〔構成５〕
この目的を達成するための本発明の特徴構成は、上記構成１〜３の何れか一項に記載の構成において、
前記封止部材において、前記連通路内壁に当接する第二当接部材を、前記封止部材の周方向に設けてある点にあり、その作用効果は以下の通りである。
【００２３】
〔作用効果５〕
つまり、前記封止部材において、前記連通路内壁に当接する第二当接部材を、前記封止部材の周方向に設けてあれば、前記第二当接部材が前記連通路内壁に当接して前記封止部材を支えることができるため、前記封止部材の封止姿勢から開封姿勢への姿勢変動に際して前記封止部材がぐらつくのを防止できるため、前記封止部材のスムーズな姿勢変動が期待できる。
【００２４】
【発明の実施の形態】
以下に本発明の実施の形態を図面に基づいて説明する。尚、図面において従来例と同一の符号で表示した部分は同一又は相当の部分を示している。
【００２５】
図１〜４に、主として医療用に用いられる薬剤収容容器Ｘ、及びこの薬剤収容容器Ｘを構成する各部材の要部概略図を示す。
【００２６】
この薬剤収容容器Ｘは、例えば、液体として医療用輸液等の薬液を患者等に供するための容器である。本発明の薬剤収容容器Ｘは、未使用時には複数の薬剤を別々の収容部に隔離した状態で収容され、使用の際に複数の薬剤を収容した収容部を無菌的に連通させて複数の薬剤を混合した後、使用可能に構成されている。
【００２７】
本実施形態では、二種類の薬剤に適用可能な薬剤収容容器Ｘを例示する。
つまり、前記薬剤収容容器Ｘは、第一薬剤を収容した第一収容部材１０と、第二薬剤を収容すると共に前記第一収容部材１０と連通路６０を介して連通する第二収容部材２０とを設けてある。前記連通路６０は、封止部材５０により封止或いは開封自在となる。
また、前記第一収容部材１０は蓋部材３０により封止されており、前記蓋部材３０を押圧可能なキャップ部材４０が前記第一収容部材１０に係合装着されている。
【００２８】
尚、第一薬剤及び第二薬剤は、医療用輸液等の液体薬液に限られるものではなく、例えば、一方が固体、或いは、粉末状の薬剤とすることも可能である。
以下に、各部材の詳細を述べる。
【００２９】
（第一収容部材及び第二収容部材）
前記第一収容部材１０は、第一薬剤を収容する薬剤収容空間１３であり、前記第二収容部材２０は、第二薬剤を収容する薬剤収容空間２１を設けた容器である。前記第一収容部材１０及び前記第二収容部材２０は、それぞれ、収容する薬剤の量に応じた容量に形成することが可能である。例えば、前記第一収容部材１０の薬剤収容空間１３は２０ｍＬ、前記第二収容部材２０の薬剤収容空間２１は４８０ｍＬの容量を有するように構成してある。
【００３０】
前記第一収容部材１０と前記第二収容部材２０とは一体成形したものであってもよく、別部材として成形した後、前記連通路６０を介して連通するように接続する構成であってもよい。本実施例では、前記第一収容部材１０及び前記第二収容部材２０とは別部材として成形した後、前記第一収容部材１０の下部と前記第二収容部材２０との上部とを螺合させることにより接続したものを例示してある。
【００３１】
前記第一収容部材１０と前記第二収容部材２０とは、任意の形状に成形することが可能であるが、前記第一収容部材１０は、前記蓋部材３０及び前記キャップ部材４０を回動させる必要がある場合は、円筒状に成形するのが好ましい。また、前記第二収容部材２０は、使用に際しての持ち運びに適した形状、例えば、円筒状、チューブ状の形状を採用することが可能である。
【００３２】
前記第一収容部材１０の外側面には、後述のキャップ部材４０を係合装着可能な装着溝部１１を設けてある（図４参照）。
【００３３】
前記第一収容部材１０においては、薬剤収容空間１３の底面を、前記第一薬剤を前記連通路６０に導くテーパ面１２とすることが可能である。このように前記薬剤収容空間１３の底面をテーパ面１２とすると、前記連通路６０が開封状態となった時には、迅速かつ第一薬剤を残すこと無く、前記第二収容部材２０に移送可能となる。
【００３４】
前記第一収容部材１０及び前記第二収容部材２０の構成材料は、ポリエチレン、ポリエチレンーポリプロピレン、ポリプロピレン、ポリエチエチレンテレフタレート、ポリカーボネート等の熱可塑性材料等とすることが可能である。
【００３５】
（封止部材）
前記封止部材５０は、前記連通路６０を封止可能に形成されており、前記封止部材５０により前記連通路６０を封止した状態の封止姿勢、或いは、前記封止部材５０により前記連通路６０の封止が解除された状態の開封姿勢を有する。
【００３６】
前記封止部材５０が封止姿勢である時には、二種類の薬剤を別々の収容部（薬剤収容空間１３及び薬剤収容空間２１）に隔離した状態で収容可能となり、前記封止部材５０が開封姿勢である時には、二種類の薬剤を収容した収容部を無菌的に連通させて二種類の薬剤を混合することが可能となる。
【００３７】
前記封止部材５０は、ゴム材等の弾性材料で構成される封止部５０ａを設けることが可能である。
【００３８】
前記封止部５０ａが弾性材である場合、図１〜２に示したように、前記封止部５０ａを凹形状に形成してある凹部５１を備えると共に、前記連通路６０の内壁を凸形状に形成してある凸部６１を備え、前記凹部５１と前記凸部６１とが嵌合装着するように構成することが可能である。
【００３９】
このように前記封止部材５０（前記封止部５０ａ）の前記連通路６０に対する装着を、前記凹部５１と前記凸部６１とが嵌合するように装着すると、前記凹部５１の弾性材の弾性により前記凸部６１を挟むように保持できるため、前記封止部材５０（前記封止部５０ａ）による封止の程度が向上することが期待される。そして、封止姿勢が、前記凹部５１と前記凸部６１との嵌合により維持されているため、前記封止部材５０が下方に押込まれると直ちに封止姿勢を解除できる構成となる。そのため、前記封止部材５０を押込むストロークが小さくなるため、押込み力の総量は軽減する。
【００４０】
尚、図１〜２においては、前記凸部６１の上側面６２と下側面６３を構成する傾斜角度が異なるものを例示してある。このように、一方の傾斜角度が他方の傾斜角度に比べて大きくなると、前記封止部材５０との接触面積が大きくなり、前記封止部材５０（前記封止部５０ａ）による封止の程度がより向上する。
【００４１】
さらに、前記凹部５１の上面５２には、前記封止部材５０を押込んだ際の押込み抵抗を軽減させるため、逃げ部５３を設けた構成としてある。
【００４２】
前記封止部材５０に、前記テーパ面１２に当接可能な第一当接部材５４を設けることが可能である。この第一当接部材５４は、具体的には、前記凹部５１と異なる位置において、前記封止部材５０の周方向に設けられた複数の羽根状の部材とすることができる。
このように第一当接部材５４を設けることにより、前記封止部材５０と前記テーパ面１２とが当接した後に、横方向に揺れ動くことを防止できるため、使用に際しての違和感が無くなることが期待される。
【００４３】
また、前記封止部材５０において、前記連通路６０内壁に当接する第二当接部材５５を、前記封止部材５０の周方向に設けることが可能である。この第二当接部材５２は、具体的には、前記凹部５１と異なる位置において、前記封止部材５０の周方向に、前記連通路６０内壁に当接するように設けられた複数の羽根状の部材とすることができる。
このように第二当接部材５５を設けることにより、前記第二当接部材５５が前記連通路６０内壁に当接して前記封止部材５０を支えることができるため、前記封止部材５０の封止姿勢から開封姿勢への姿勢変動に際して前記封止部材５０がぐらつくのを防止できるため、前記封止部材５０のスムーズな姿勢変動が期待できる。
【００４４】
（蓋部材）
前記第一収容部材１０の前記連通路６０の反対側は、蓋部材３０により封止されている。この蓋部材３０は、その周側面部が前記第一収容部材１０の内面に沿って摺動自在に構成されている。
さらに、前記蓋部材３０は、この摺動により前記封止部材５０の姿勢（封止姿勢或いは開封姿勢）を規定可能に構成されている。
つまり、前記蓋部材３０の摺動移動に伴い、前記蓋部材３０が前記封止部材５０を押圧して、封止姿勢の前記封止部材５０を開封姿勢へと姿勢変動させることが可能である。
【００４５】
前記蓋部材３０は、ゴム材等の弾性材料で構成されており、成形された前記蓋部材３０全体がある程度弾性変形可能に構成してある。このように弾性変形可能に成形することにより、前記蓋部材３０と前記第一収容部材１０の内面とが密着できるため、前記第一収容部材１０に収容されている前記第一薬剤が、前記第一収容部材１０から漏洩することを防止することができる。
【００４６】
図３に示したように、前記蓋部材３０の外表面に、前記キャップ部材４０を回動させた場合に前記キャップ部材４０の回動に伴って前記蓋部材３０が回動するように、前記キャップ部材４０と係合する係合部３１を設けることが可能である。
【００４７】
この時、各係合部３１に、前記キャップ部材４０内壁に設けられた複数の押圧部４２が係止する。このように前記係合部３１と前記押圧部４２とが係止状態にある時は、前記押圧部４２が前記蓋部材３０の外表面を滑るように回動する空回りが発生することがなくなる。そして、この係止状態からさらに前記キャップ部材４０を回動させると、前記蓋部材３０は回動しながら押込まれる。
ここで、仮に、前記蓋部材３０を真っ直ぐ押し下げるのみであると、前記第一収容部材１０の内壁面が濡れている等して前記蓋部材３０の側面と前記第一収容部材１０の内壁面との摩擦力が異なる場合等には、前記蓋部材３０の押し下げ量に差が出て前記蓋部材３０と前記第一収容部材１０との間に隙間が発生する虞がある。しかし、上述したような係止状態で前記蓋部材３０が回動しながら押込まれることにより、前記蓋部材３０の全周に亘って均等な押込み量が得られるため、前記蓋部材３０と前記第一収容部材１０との間に隙間が発生して薬剤が漏洩するような不都合が起こるのを防止することができる。
【００４８】
ここでは、前記係合部３１は凹状のものを例示したが、これに限られるものではなく、凸状の係合部３１を前記蓋部材３０の外表面に設けた構成とすることが可能である。
【００４９】
前記蓋部材３０は、後述のキャップ部材４０による押圧により、例えば、以下のような挙動をとりうる。
つまり、薬剤収容容器Ｘの未使用時には、前記蓋部材３０とキャップ部材４０の押圧部４２とは当接状態にある。そして、前記薬剤収容容器Ｘの使用に際して前記キャップ部材４０を回動させると、回動当初は、前記蓋部材３０の表面を滑るように前記キャップ部材４０が回動する。この時、後述のように前記蓋部材３０は前記キャップ部材４０により押圧力を受け、回転すること無く前記第二収容部材２０側へと移動する。ここで、前記蓋部材３０の側面と前記第一収容部材１０の内壁面との摩擦力は、前記蓋部材３０の移動当初は大きいと考えられる。そのため、前記蓋部材３０は、撓むように変形しようとする。
しかし、やがて、前記押圧部４２が前記係合部３１に達して前記係合部３１と前記押圧部４２とが係止状態になると、前記キャップ部材４０と前記蓋部材３０との回動は同調して前記摩擦力は低減し、さらに、前記蓋部材３０が前記薬剤収容空間１３まで達すると、前記第一収容部材１０の内壁面は濡れているため前記摩擦力は低減する。これにより、前記蓋部材３０は容易に回動するようになるため、前記蓋部材３０の前記第二収容部材２０側への移動はスムーズに行われ、前記蓋部材３０を押圧する押圧力の低減に繋がる。
【００５０】
（キャップ部材）
キャップ部材４０は、前記第一収容部材１０に設けられた前記装着溝部１１に装着可能であると共に、前記蓋部材３０を押圧可能に設けてある。
前記キャップ部材４０内壁には、凸状のキャップ部材係合部４１が一体成形されており、前記キャップ部材係合部４１が前記装着溝部１１と係合することにより前記第一収容部材１０に装着されている。さらに、前記キャップ部材４０は、前記封止部材５０が開封姿勢となった時に前記第一収容部材１０より離脱可能に構成されている。
【００５１】
以下に、前記キャップ部材４０と前記第一収容部材１０との係合装着状態が解除されるまでの様子を詳述する。
【００５２】
前記キャップ部材係合部４１は、薬剤収容容器Ｘの未使用時（つまり、封止部材５０が封止姿勢の状態にある）には、前記装着溝部１１ａに示す領域に存在している。そして、前記キャップ部材４０を前記第一収容部材１０に対して相対回転させるように回動させると、前記キャップ部材係合部４１は、前記キャップ部材４０の動きに合わせて前記装着溝部１１ｂの領域を移動する。
尚、前記キャップ部材４０を前記第一収容部材１０に対して相対回転させるように回動させる外力を加えない時に前記キャップ部材係合部４１が前記装着溝部１１ｂの領域に移動するのを防止するため、前記装着溝部１１ａと前記装着溝部１１ｂとの境界付近に乗越機構１４を設けることが可能である。
前記装着溝部１１ｂは、前記キャップ部材４０の回動に従い、前記キャップ部材係合部４１を前記第二収容部材２０側へと導く形状をしている。そのため、前記キャップ部材係合部４１と一体形成されている前記キャップ部材４０は、前記キャップ部材４０の回動に従い、前記第二収容部材２０側へと移動する。そして前記キャップ部材４０が前記第二収容部材２０側へと移動すると、押圧部４２が前記蓋部材３０を押圧することになる。
つまり、前記キャップ部材４０を回動させることにより、前記蓋部材３０を押圧自在に形成してある。
【００５３】
そして、前記キャップ部材係合部４１が前記装着溝部１１ｃに示す位置まで到達すると前記キャップ部材４０の回動は停止する。このように前記キャップ部材４０の回動は停止するまでに、前記封止部材５０の封止姿勢が解除されるように前記装着溝部１１を形成する。
このような構成により、前記キャップ部材係合部４１が前記装着溝部１１ｃに示す位置まで到達すると前記封止部材５０は開封姿勢となっており、その後、前記キャップ部材４０を前記装着溝部１１ｃに沿うように移動させると、前記キャップ部材４０は、前記第一収容部材１０より離脱可能となる。
【００５４】
このように前記キャップ部材係合部４１が前記装着溝部１１ｃに示す位置まで到達した時点で、前記連通路は開封されているため、前記第一薬剤は前記連通路６０を経て前記第二収容部材２０へと移動し、前記第一薬剤は、前記第二収容部材２０に収容されている前記第二薬剤と混合可能となる。
つまり、前記キャップ部材４０が前記第一収容部材１０より離脱可能な状態になっている時には前記第一薬剤と前記第二薬剤との混合は完了していることになる。
【００５５】
前記キャップ部材４０を前記第一収容部材１０より離脱させると、前記蓋部材３０の外表面が露になる。そして、前記蓋部材３０に注射針等の薬剤移送手段を外部から薬剤移送手段侵入部３２に刺す等して薬剤移送手段の先端が前記第一収容部材１０の内表面に達するまで貫通させ、前記薬剤収容容器Ｘを前記第一収容部材１０が下になるように転倒させると、前記第一薬剤と前記第二薬剤との混合薬剤は前記薬剤移送手段を経て、患者に供される。
【００５６】
上述したように、本発明の薬剤収容容器Ｘは、前記第一薬剤を収容している第一収容部材１０を封止する蓋部材３０そのものを前記第一収容部材１０の内面に沿って摺動移動させる（つまり、第一収容部材が減容化する）だけで、前記封止部材５０の封止姿勢を開封姿勢へと姿勢変動させて前記第一薬剤と前記第二薬剤とを混合可能な構成となっている。
【００５７】
そのため、例えば、従来のように、第一薬剤を収容した第一収容部材１０と第二薬剤を収容した第二収容部材２０とを隔離する突出片のような構成を設ける必要が無いため簡略な構造とすることができ、さらに、部材の数においても、前記第一収容部材１０、前記第二収容部材２０、前記蓋部材３０、前記キャップ部材４０、前記封止部材５０だけで構成可能であるため、少ない部品数で済む構造とすることができる。従って、製造コストを低減することが可能となる。
【００５８】
また、前記封止部材５０の封止姿勢を開封姿勢へと姿勢変動させると、前記連通路６０のほぼ全体が薬剤移動に使用されるため、迅速な薬剤移動に必要な流量が確保できる。
【００５９】
さらに、前記薬剤移送手段の前記蓋部材３０への貫入は、前記キャップ部材４０の前記第一収容部材１０からの離脱後に行われるように構成されている。つまり、前記薬剤移送手段を前記蓋部材３０へ貫入した時には、既に前記キャップ部材４０の前記第一収容部材１０からの離脱が行われた後であり、前記第一薬剤と前記第二薬剤との混合は完了している状態である。そのため、前記第一薬剤と前記第二薬剤との混合前に前記薬剤移送手段の前記蓋部材３０への貫入が行われることがない。従って、前記キャップ部材４０の離脱なしには、前記第一薬剤と前記第二薬剤との混合薬剤を使用者に供することはできない構成となる。これより、前記第一薬剤と前記第二薬剤とを混合しないで患者に供するような医療過誤を防止することができる。
【００６０】
尚、本発明は上記実施形態に限定されるものではなく、同様の作用効果を奏するものであれば、各部構成を適宜変更することが可能である。
【図面の簡単な説明】
【図１】本発明の薬剤収容容器の断面概略図（封止部材が封止姿勢）
【図２】本発明の薬剤収容容器の要部概略図（封止部材が開封姿勢）
【図３】蓋部材概略図
【図４】第一収容部材の外側面の要部概略図
【図５】従来の薬剤収容容器の概略図
【符号の説明】
１０　　第一収容部材
３０　　蓋部材
４０　　キャップ部材
５０　　封止部材
Ｘ　　　薬剤収容容器
【図１】
2004024711.tif 000003
【図２】
2004024711.tif 000004
【図３】
2004024711.tif 000005
【図４】
2004024711.tif 000006
【図５】
2004024711.tif 000007